(57)【要約】【課題】レンズが交換された場合に、短時間で同じ距離の被写体に対する合焦が得られるようにしたレンズ交換式の撮像装置を提供する。【解決手段】撮像装置１００は、装着されている交換レンズ２２０から取得したフォーカス距離に関する情報を記憶する記憶手段５２と、該交換レンズが該撮像装置から取り外された後も記憶手段に該フォーカス距離に関する情報を保持させる記憶制御手段５０とを有する。【選択図】図１
2008304636.tif 000002
【特許請求の範囲】
【請求項１】
交換レンズの着脱が可能な撮像装置であって、
装着されている交換レンズから取得したフォーカス距離に関する情報を記憶する記憶手段と、
前記交換レンズが該撮像装置から取り外された後も前記記憶手段に前記フォーカス距離に関する情報を保持させる記憶制御手段とを有することを特徴とする撮像装置。
【請求項２】
前記記憶手段に第１の交換レンズのフォーカス距離に関する情報が保持されている場合において該撮像装置に第２の交換レンズが装着されたときに、該第２の交換レンズに、前記記憶手段に保持されている前記フォーカス距離に関する情報に対応したレンズ位置の方向への動作を行わせるフォーカス制御手段を有することを特徴とする請求項１に記載の撮像装置。
【請求項３】
前記交換レンズにより形成された被写体像を光電変換する撮像素子を有し、
前記フォーカス制御手段は、該撮像素子を用いて得られた映像のコントラスト状態を示すフォーカス評価信号に基づいて前記交換レンズのフォーカス制御を行い、
前記フォーカス制御手段は、前記記憶手段に第１の交換レンズのフォーカス距離に関する情報が保持されている場合において該撮像装置に第２の交換レンズが装着されたときは、該第２の交換レンズに、前記記憶手段に保持されている前記フォーカス距離に関する情報に対応したレンズ位置の方向への動作を行わせてから前記フォーカス制御を行うことを特徴とする請求項２に記載の撮像装置。
【請求項４】
前記交換レンズにより形成された被写体像を光電変換する撮像素子と、
該撮像素子を用いて得られた映像を表示する表示手段と、
前記表示手段での前記映像の表示中に前記第１の交換レンズが該撮像装置から取り外された場合は該映像の表示を中断し、前記第２の交換レンズが該撮像装置に装着された後、該第２の交換レンズが前記フォーカス距離に関する情報に対応したレンズ位置の方向への動作を行った後に前記映像の表示を再開する表示制御手段とを有することを特徴とする請求項２又は３に記載の撮像装置。
【請求項５】
請求項１から４のいずれか１つに記載の撮像装置に着脱可能な交換レンズであって、
レンズ位置を検出し、検出されたレンズ位置に基づいてフォーカス距離に関する情報を生成する情報生成手段を有し、
該フォーカス距離に関する情報を前記撮像装置に対して出力することを特徴とする交換レンズ。
【請求項６】
交換レンズの着脱が可能な撮像装置の制御方法であって、
装着されている交換レンズのフォーカス距離に関する情報を記憶手段に記憶させるステップと、
前記交換レンズが該撮像装置から取り外された後も前記記憶手段に前記フォーカス距離に関する情報を保持させるステップとを有することを特徴とする撮像装置の制御方法。
【発明の詳細な説明】
【技術分野】
【０００１】
本発明は、レンズ交換が可能な撮像装置及び該撮像装置に着脱可能な交換レンズに関する。
【背景技術】
【０００２】
レンズ交換が可能な一眼レフデジタルカメラ、ビデオカメラ等の撮像装置では、特許文献１にて開示されているように、ＣＣＤセンサ等の撮像素子を用いて得られた映像のコントラスト状態を示すフォーカス評価信号に基づいてフォーカス制御を行うものが多い。このようなフォーカス制御方法は、コントラスト検出方式と称される。
【０００３】
また、撮像装置には、取得した映像をほぼリアルタイムでディスプレイに表示する、いわゆるライブビュー表示機能が搭載されている場合が多い。特許文献２には、電源が投入された後、遠景から近景までの被写体距離でピントが大きくぼけていない映像が取得さるようにフォーカス制御を行った後に、ライブビュー表示を開始する撮像装置が開示されている。
【特許文献１】特開平２−６５４７４号公報
【特許文献２】特開２０００−５０１４１号公報
【発明の開示】
【発明が解決しようとする課題】
【０００４】
一般に、コントラスト検出方式によるフォーカス制御は、フォーカスレンズを移動させながら取得映像から抽出したフォーカス評価信号が最大となる位置を探索する。このため、いわゆる位相差検出方式でのフォーカス制御に比べて合焦が得られるまで時間を要する。
【０００５】
このため、例えば、三脚を使用した撮像において構図が決まっている状態でレンズを交換した場合に、コントラスト検出方式によるフォーカス制御を最初からやり直すのでは、合焦が得られるまで待ってからでないと撮像を行うことができない。
【０００６】
また、特許文献２にて開示された撮像装置のように、遠景から近景までの被写体距離でピントが大きくぼけていない映像が取得さるようにフォーカス制御を行うことは、様々なレンズが装着されるレンズ交換式の撮像装置では難しい。
【０００７】
本発明は、レンズが交換された場合に、短時間で同じ距離の被写体に対する合焦が得られるようにしたレンズ交換式の撮像装置及び該撮像装置に装着される交換レンズを提供する。
【課題を解決するための手段】
【０００８】
本発明の一側面としての撮像装置は、装着されている交換レンズから取得したフォーカス距離に関する情報を記憶する記憶手段と、該交換レンズが該撮像装置から取り外された後も記憶手段に該フォーカス距離に関する情報を保持させる記憶制御手段とを有することを特徴とする。
【０００９】
また、本発明の他の側面としての交換レンズは、上記撮像装置に着脱可能な交換レンズであって、レンズ位置を検出する検出手段と、該検出されたレンズ位置に基づいてフォーカス距離に関する情報を生成し、撮像装置に対して出力する情報生成手段とを有することを特徴とする。
【００１０】
さらに、本発明の他の側面としての撮像装置の制御方法は、装着されている交換レンズのフォーカス距離に関する情報を記憶手段に記憶させるステップと、該交換レンズが該撮像装置から取り外された後も記憶手段に該フォーカス距離に関する情報を保持させるステップとを有することを特徴とする。
【発明の効果】
【００１１】
本発明によれば、先に装着されていた交換レンズのフォーカス距離に関する情報を記憶保持しているので、レンズ交換後にその情報を用いたレンズ動作が可能となる。したがって、レンズが交換されても短時間で同じ距離の被写体に対する合焦を得ることができる。
【発明を実施するための最良の形態】
【００１２】
以下、本発明の好ましい実施例について図面を参照しながら説明する。
【実施例１】
【００１３】
図１には、それぞれ本発明の実施例である撮像装置としての一眼レフデジタルカメラと交換レンズとを含む撮像システムの構成を示す。
【００１４】
図１において、１００は一眼レフデジタルカメラ（以下、カメラという）であり、２２０はカメラ１００に対して着脱可能な交換レンズである。
【００１５】
カメラ１００において、１２は後述する撮像素子の露出量を制御するためのシャッタである。
【００１６】
１４はＣＣＤセンサやＣＭＯＳセンサ等により構成される撮像素子である。撮像素子１４は、交換レンズ２２０により形成された被写体像を光電変換する。
【００１７】
１６は撮像素子１４からのアナログ撮像信号をデジタル信号に変換するＡ／Ｄ変換器である。
【００１８】
１８はタイミング発生回路であり、撮像素子１４、Ａ／Ｄ変換器１６及び後述するＤ／Ａ変換器２６にクロック信号を供給する。該タイミング発生回路１８は、後述するメモリ制御回路２２及びシステム制御回路５０により制御される。
【００１９】
２０は画像処理回路であり、Ａ／Ｄ変換器１６又はメモリ制御回路２２からのデジタル撮像信号に対して、画素補間処理、色変換処理、ＡＷＢ（オートホワイトバランス）処理等の各種画像処理を行う。これにより、画像信号（映像）が生成される。また、画像処理回路２０は、画像信号を用いて所定の演算処理を行う。
【００２０】
システム制御回路５０は、カメラ１００全体の動作及び交換レンズ２２０の動作を制御する。システム制御回路５０は、記憶制御手段及び表示制御手段としての機能を有するとともに、ＡＦ制御回路４２とともにフォーカス制御手段としての機能を有する。システム制御回路５０は、画像信号を用いて行った所定の演算の結果に基づいて、後述する露光制御回路４０及びＡＦ制御回路４２を制御するとともに、通信接点部４１を介して交換レンズ２２０の制御を行う。
【００２１】
メモリ制御回路２２は、Ａ／Ｄ変換器１６、タイミング発生回路１８、画像処理回路２０と、後述する画像表示メモリ２４、Ｄ／Ａ変換器２６、メモリ３０及び圧縮・伸長回路３２とを制御する。
【００２２】
画像処理回路２０からの画像信号又はＡ／Ｄ変換器１６からのデジタル撮像信号は、メモリ制御回路２２を介して画像表示メモリ２４又はメモリ３０に書き込まれる。
【００２３】
２８はＬＣＤ等により構成される画像表示部（表示手段）である。画像表示メモリ２４に書き込まれた表示用画像データは、Ｄ／Ａ変換器２６を介して画像表示部２８に送られ、画像表示部２８にて表示される。
【００２４】
シャッタ１２が開いた状態で、画像処理回路２０により生成されて画像表示メモリ２４に書き込まれた表示用画像データが画像表示部２８で逐次表示されることにより、電子ファインダ機能が実現される。このように電子ファインダを通じて被写体映像（撮像画像データ）を表示することをライブビュー表示という。
【００２５】
また、画像表示部２８は、システム制御回路５０から指示に応じて表示をＯＮ／ＯＦＦすることが可能である。
【００２６】
メモリ３０は、生成された静止画像や動画像を格納する。また、メモリ３０は、システム制御回路５０の作業領域としても使用される。
【００２７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータを再びメモリ３０に書き込む。
【００２８】
４０はシャッタ１２を制御する露光制御回路であり、システム制御回路５０を介して交換レンズ２２０の絞り２２４も制御する。また、露光制御回路４０は、システム制御回路５０を介してフラッシュ４８の発光動作も制御する。
【００２９】
ＡＦ制御回路４２は、システム制御回路５０を介して、コントラスト検出方式による交換レンズ２２０のフォーカス制御を行う。具体的には、フォーカスレンズを所定量ずつ光軸方向に移動させながら画像処理回路２０にて生成された画像信号（映像）から高周波成分を抽出してＡＦ評価値信号（フォーカス評価信号）を生成する。そして、該ＡＦ評価値信号が最大となるフォーカス位置を判定し、これを合焦位置としてここにフォーカスレンズを移動（又は停止）させる。
【００３０】
５２はシステム制御回路５０の動作用の定数、変数、コンピュータプログラム等のデータを記憶するメモリである。
【００３１】
５４は情報出力部であり、文字、画像、音声等を用いてカメラ１００の動作状態やメッセージ等を示す情報を出力する。情報出力部５４は、液晶表示素子やスピーカ等により構成されている。情報出力部５４は、一部の情報をファインダ光学系を介してファインダ画面内に表示する。
【００３２】
５６は電気的に消去・記録可能な不揮発性メモリであり、ＥＥＰＲＯＭ等が用いられる。
【００３３】
６０はモードダイアルスイッチであり、電源のＯＮ／ＯＦＦ、撮像モード（静止画撮像モードや動画撮像モード）、再生モード等の各機能を切り替え設定するために操作される。
【００３４】
６２は撮像準備スイッチ（ＳＷ１）であり、不図示のシャッタボタンの第１ストローク操作（半押し）によりＯＮとなり、測光（ＡＥ処理）及びＡＦ処理等の撮像準備動作を開始させる。
【００３５】
６４は撮像開始スイッチ（ＳＷ２）であり、シャッタボタンの第２ストローク操作（全押し）によりＯＮとなり、撮像動作を開始させる。
【００３６】
ここにいう撮像動作は、シャッタ１２の開閉動作、撮像素子１４からの撮像信号に基づいて画像処理回路２０にて画像信号を生成する動作、画像信号をメモリ制御回路２２を介してメモリ３０に書き込む動作を含む。また、メモリ３０から画像データを読み出して、圧縮・伸長回路３２で圧縮し、後述する記録媒体２００，２１０に記録する動作も含む。これら一連の撮像動作は、記録用画像の取得動作ということもできる。記録媒体２００，２１０は、半導体メモリや光ディスク等により構成される。
【００３７】
７０は各種ボタンやタッチパネル等を含む操作部であり、カメラ１００の機能選択や各種設定を行うためのメニュー画面を表示させたり、メニュー項目を決定したりするために操作される。
【００３８】
８０は電源制御回路であり、電池残量の検出を行う電池検出回路、電池からの電源電圧を所定の動作電圧に変換するＤＣ−ＤＣコンバータ、通電するブロックを切り替えるスイッチ回路等を含む。
【００３９】
８６は電池であり、アルカリ電池やリチウム電池等の一次電池やＮｉＭＨ電池、Ｌｉ電池等の二次電池が使用される。８２，８４は電池８６とカメラ１００との電気的接続を行うためのコネクタである。
【００４０】
９０，９４は記録媒体２００，２１０との通信を行うためのインタフェースであり、９２，９６は記録媒体２００，２１０に接続されるコネクタである。９８はコネクタ９２，９６に記録媒体２００，２１０が装着されているか否かを検知する記録媒体着脱検知器である。
【００４１】
１１０は通信部であり、ＲＳ２３２Ｃ、ＵＳＢ、ＩＥＥＥ１３９４、無線通信等の通信機能を有する。
【００４２】
１１２は通信部１１０を介してカメラ１００に他の機器を接続するコネクタであり、無線通信を行う場合はアンテナが接続される。
【００４３】
記録媒体２００，２１０は、カメラ１００との通信を行うためのインタフェース２０４，２１４と、カメラ１００との電気的接続を行うコネクタ２０６，２１６とを有する。記録部２０２，２１２には、カメラ１００から出力される圧縮画像データが書き込まれる。
【００４４】
交換レンズ２２０において、２２２は複数のレンズにより構成される撮像レンズ群であり、光軸方向に移動してフォーカス調整を行うフォーカスレンズや光軸方向に移動して変倍を行うズームレンズを含む。２２４は撮像素子１４に到達する光量を調節する絞りである。これら撮像レンズ群２２２及び絞り２２４により撮像光学系が構成される。
【００４５】
２２６はレンズ制御回路であり、システム制御回路５０からの制御信号に応じて、フォーカスレンズ、ズームレンズ及び絞り２２４を駆動する不図示のアクチュエータを制御する。２２８はコネクタであり、カメラ１００の通信接点部４１と接続されてレンズ制御回路２２６とシステム制御回路５０との間での通信を可能とする。また、コネクタ２２８は、電池８６からの電源電圧を交換レンズ２２０内に供給する。
【００４６】
２３０はフォーカスレンズやズームレンズの位置を検出するエンコーダと、該エンコーダからの出力に基づいてフォーカス距離を求める、すなわちフォーカス距離に関する情報を生成するフォーカス距離検出器（情報生成手段）である。
【００４７】
ここで、本実施例にいうフォーカス距離は、フォーカスレンズやズームレンズの位置に応じて決まる撮像光学系が合焦する距離であって、絶対距離（例えば、１ｍや３ｍ）を意味する。フォーカス距離は、エンコーダにより検出された各レンズの位置を所定の演算式に代入することで、又はフォーカス距離のテーブルデータから各レンズの位置に対応したフォーカス距離を読み出すことで求めることができる。
【００４８】
レンズ制御回路２２６は、フォーカス距離検出器２３０により求められた現在のフォーカス距離を示す情報をシステム制御回路５０に送信（出力）する。なお、以下の説明では、フォーカス距離を示す情報をフォーカス距離情報という。
【００４９】
また、レンズ制御回路２２６は、交換レンズ２２０のフォーカス距離範囲（最短フォーカス距離や最長フォーカス距離）、ズーム位置、絞り位置等の情報もシステム制御回路５０に送信する。最短フォーカス距離は、撮像光学系が合焦可能な最短の距離（ＭＯＤ）であり、最長フォーカス距離は、撮像光学系が合焦可能な最長の距離（無限遠）である。
【００５０】
次に、図２から図４を用いて、カメラ１００（システム制御回路５０及びＡＦ制御回路４２）の動作について説明する。この動作は、メモリ５２に格納されたコンピュータプログラムに従って実行される。
【００５１】
まず、図２及び図３を用いて、カメラ１００のメインルーチン動作について説明する。
【００５２】
カメラ１００の電源が投入されると、システム制御回路５０は、フラグや制御変数等を初期化し（ステップＳ１０１）、画像表示部２８の画像表示をＯＦＦ状態に初期設定する（ステップＳ１０２）。
【００５３】
システム制御回路５０は、モードダイアル６０の設定を判断し（ステップＳ１０３）、モードダイアル６０が電源ＯＦＦに設定されていた場合は、ライブビュー表示を中断するフラグをクリアする（ステップＳ１０５）。また、システム制御回路５０は、カメラ１００の動作を終了するのに必要な処理を行い（ステップＳ１０６）、ステップＳ１０３に戻る。
【００５４】
ステップＳ１０３でモードダイアル６０が撮影モードに設定されている場合は、Ｓ１０７に進む。また、モードダイアル６０がその他のモードに設定されていた場合は、選択されたモードに応じた処理を実行し（ステップＳ１０４）、処理を終えるとステップＳ１０３に戻る。
【００５５】
ステップＳ１０７において、システム制御回路５０は、電源制御回路８０により電池８６の残容量が低下しているか否かやカメラ１００の動作に不具合が発生しているか否かを判断する。問題があるときは情報出力部５４を通じて所定の警告を行った後（ステップＳ１０９）、ステップＳ１０３に戻る。
【００５６】
問題が無い場合は、ステップＳ１０８において、システム制御回路５０は、記録媒体２００，２１０の動作状態が画像データの記録再生動作に問題があるか否かを判断する。問題がある場合は情報出力部５４を通じて所定の警告を行った後（ステップＳ１０９）、ステップＳ１０３に戻る。
【００５７】
記録媒体２００，２１０に問題が無い場合は、ステップＳ１１０において、交換レンズ２２０が装着されているかを交換レンズ２２０との通信により確認する。交換レンズ２２０が装着されていなければ、ステップＳ１１１において、画像表示部２８でライブビュー表示を行っているか否かをチェックする。ライブビュー表示中でなければ、Ｓ１０３に戻る。また、ライブビュー表示中ならば、ライブビュー表示の中断フラグをセットして（ステップＳ１１２）、画像表示部２８をＯＦＦ（中断）し（ステップＳ１１３）、ステップＳ１０３に戻る。
【００５８】
なお、システム制御回路５０は、ライブビュー中断フラグの状態を、記憶手段としてのシステム制御回路５０の内部メモリ又はメモリ５２に記憶させる。
【００５９】
一方、ステップＳ１１０において、交換レンズ２２０が装着されている場合は、ステップＳ１１４にてライブビュー中断フラグをチェックする。ライブビュー中断フラグがクリアされていない（セットされている）場合は、ライブビュー表示の再開処理を行い（ステップＳ１１５）、その後、ライブビュー中断フラグをクリアする（ステップＳ１１６）。
【００６０】
ステップＳ１１４からステップＳ１１５に進む場合としては、以下の場合が想定される。すなわち、ステップＳ１１０で交換レンズ２２０が取り外された（装着されていない）と判別され、ステップＳ１１２，１１３でライブビュー表示が中断され、その後のルーチンのステップＳ１１０にて別の交換レンズ２２０が装着されたと判別された場合である。ライブビュー表示の再開処理については後述する。
【００６１】
また、ステップＳ１１４にてライブビュー中断フラグがクリアされていれば、情報出力部５４を通じてカメラ１００の各種設定状態の表示を行う（ステップＳ１１７）。なお、画像表示部２８の画像表示がＯＮである場合は、画像表示部２８にてカメラ１００の各種設定状態の表示を行ってもよい。
【００６２】
次に、ステップＳ１１８では、システム制御回路５０は、画像表示部２８でのライブビュー表示を開始して、ステップＳ１１９に進む。撮影者は、ライブビュー表示された被写体映像を電子ファインダ映像として観察しながら記録用画像を取得するための構図を決定することができる。
【００６３】
次に、ステップＳ１１９では、システム制御回路５０は、撮像準備スイッチＳＷ１が押された（ＯＮ）か否かを判別し、押されていない（ＯＦＦ）の場合は、ステップＳ１０３に戻る。一方、撮像準備スイッチＳＷ１がＯＮの場合は、システム制御回路５０は、ステップＳ１２０にてＡＦ制御回路４２とともにＡＦ処理を行い、交換レンズ２２０の焦点を被写体に合わせる。また、測光処理を行って、絞り値及びシャッタ時間を決定する。測光処理において、必要であればフラッシュ４８の動作設定も行う。
【００６４】
ＡＦ処理が終了してフォーカスレンズが停止状態になると、システム制御回路５０は、ステップＳ１２１において交換レンズ２２０からフォーカス距離情報を受信し、これを「距離情報１」として、記憶手段としての内部メモリ又はメモリ５２に記憶させる。システム制御回路５０は、この後、交換レンズ２２０が撮像装置から取り外された後もこの「距離情報１」を内部メモリ又はメモリ５２に保持させる。
【００６５】
次に、ステップＳ１２２では、撮像開始スイッチＳＷ２がＯＮか否かを判別し、ＯＦＦの場合は、ステップＳ１２３で再度撮像準備スイッチＳＷ１がＯＮか否かを判別する。撮像準備スイッチＳＷ１がＯＦＦの場合は、ステップＳ１０３に戻る。
【００６６】
撮像開始スイッチＳＷ２がＯＮの場合は、システム制御回路５０は、ステップＳ１２４及びステップＳ１２５にて前述した一連の撮像動作（露光処理や記録処理）を行う。そして、ステップＳ１０３に戻る。
【００６７】
撮像動作が終了すると、システム制御回路５０は、ステップＳ１２６にて、撮像開始スイッチＳＷ２がＯＮか否かを判別し、ＯＮである場合は内部メモリ又はメモリ５２をチェックして連写フラグが設定されているか否かを判別する（ステップＳ１２７）。連写フラグが設定されている場合は、連続して撮像動作を行うためにステップＳ１２４に戻り、次の撮像動作を行う。
【００６８】
連写フラグが設定されていない場合は（ステップＳ１２７）、撮像開始スイッチＳＷ２がＯＦＦになるまで、ステップＳ１２６，Ｓ１２７の処理を繰り返す。
【００６９】
また、ステップＳ１２６にて、撮像開始スイッチＳＷ２がＯＦＦである場合は、ステップＳ１２８に進み、撮像準備スイッチＳＷ１がＯＮか否かを判別する。ＯＮである場合はステップＳ１２２に戻り、ＯＦＦである場合はステップＳ１０３に戻る。
【００７０】
次に、ステップＳ１１５で行われるライブビュー表示の再開処理について図４を用いて説明する。このステップＳ１１５では、前述したように、先に装着されていた交換レンズ（以下、第１の交換レンズという）２２０が取り外された後、別の交換レンズ（以下、第２の交換レンズという）２２０が新たに装着された場合の処理が行われる。
【００７１】
まず、システム制御回路５０は、ステップＳ１２１において第１の交換レンズ２２０から受信して内部メモリ又はメモリ５２に記憶保持させた「距離情報１」を該メモリから読み出す（ステップＳ４０１）。これにより、第１の交換レンズ２２０の取り外し直前でのフォーカス距離情報を取得する。
【００７２】
次に、ステップＳ４０２では、システム制御回路５０は、第２の交換レンズ２２０と通信を行い、該第２の交換レンズ２２０のフォーカス距離範囲（最短フォーカス距離及び最長フォーカス距離）の情報を受信する。
【００７３】
次に、ステップＳ４０３では、システム制御回路５０は、読み出した「距離情報１」に相当する第１の交換レンズ２２０の取り外し直前でのフォーカス距離が、第２の交換レンズ２２０の最短フォーカス距離以上か否かを判別する。最短フォーカス距離より短い場合はステップＳ４０４に進み、「距離情報１」に第２の交換レンズ２２０の最短フォーカス距離を設定し、ステップＳ４０７に進む。
【００７４】
また、「距離情報１」に相当する第１の交換レンズ２２０の取り外し直前でのフォーカス距離が、第２の交換レンズ２２０の最短フォーカス距離以上である場合は、ステップＳＳ４０５に進む。
【００７５】
ステップＳ４０５では、「距離情報１」に相当する第１の交換レンズ２２０の取り外し直前でのフォーカス距離が、第２の交換レンズ２２０の最長フォーカス距離以下か否かを判別する。最長フォーカス距離より長い場合は、ステップＳ４０６に進み、「距離情報１」に第２の交換レンズ２２０の最長フォーカス距離を設定し、ステップＳ４０７に進む。
【００７６】
すなわち、第１の交換レンズ２２０の取り外し直前でのフォーカス距離が、第２の交換レンズ２２０のフォーカス距離範囲外である場合は、「距離情報１」を第２の交換レンズ２２０のフォーカス距離範囲の最短値又は最長値に設定する。
【００７７】
ステップＳ４０５において、「距離情報１」に相当する第１の交換レンズ２２０の取り外し直前でのフォーカス距離が、第２の交換レンズ２２０の最長フォーカス距離以下である場合は、ステップＳ４０７に進む。ステップＳ４０７では、システム制御回路５０は、第２の交換レンズ２２０から現在のフォーカス距離情報を受信して、「距離情報２」として内部メモリに記憶する。
【００７８】
そして、ステップＳ４０８では、システム制御回路５０は、「距離情報１」と「距離情報２」とを比較して、これらの差が所定範囲内か否かを判別する。「距離情報１」と「距離情報２」との差が所定範囲内であれば、リターンする。一方、「距離情報１」と「距離情報２」との差が所定範囲外であれば、ステップＳ４０９に進む。
【００７９】
ステップＳ４０９では、システム制御回路５０は、「距離情報１」と「距離情報２」との差分量を第２の交換レンズ２２０に送信する。これにより、システム制御回路５０は、第１の交換レンズ２２０が合焦していたフォーカス距離に対応するレンズ位置の方向へのレンズ動作（ズームレンズ及びフォーカスレンズの駆動）を行わせる。こうして、第１の交換レンズ２２０が合焦していたフォーカス距離に対応する位置又はその近傍に、第２の交換レンズ２２０のレンズ位置を移動させることができる。
【００８０】
そして、このようなレンズ動作が行われた後、ステップＳ１１９にて撮像準備スイッチＳＷ１がＯＮされると、ステップＳ１２０にて、コントラスト検出方式によるフォーカス制御が行われる。この際、該フォーカス制御は、第１の交換レンズ２２０が合焦していたフォーカス距離（被写体）に対応する位置又はその近傍から開始される。このため、コントラスト検出方式によるフォーカス制御をはじめから（合焦位置から遠い位置から）行う場合に比べて、短時間で同じ被写体に対する合焦が得られる。
【００８１】
また、第２の交換レンズ２２０が装着された後、迅速にピントが合った状態でのライブビュー表示を再開することができる。
【００８２】
以上説明した各実施例は代表的な例にすぎず、本発明の実施に際しては、各実施例に対して種々の変形や変更が可能である。
【００８３】
例えば、本実施例では、フォーカス距離に関する情報としてフォーカス距離そのものをカメラ１００に送信する場合について説明したが、フォーカスレンズ及びズームレンズの位置の情報をフォーカス距離に関する情報としてカメラに送信してもよい。この場合、交換レンズとカメラとの初期通信等において、各レンズの位置からフォーカス距離を算出するための演算式のデータやフォーカス距離のテーブルデータをカメラに送信することで、カメラにおいてフォーカス距離を求めることができる。
【００８４】
また、上記実施例では、コントラスト検出方式によるフォーカス制御を行う撮像装置について説明したが、本発明の他の実施例として、位相差検出方式によるフォーカス制御を行ってもよい。例えば、被写体の状態によって位相差検出方式でのフォーカス制御により合焦が得られるまでに時間を要する可能性があるような場合に、合焦が得られるまでの時間を短縮することができる。
【００８５】
さらに、上記実施例では、一眼レフデジタルカメラについて説明したが、本発明の実施例には、ビデオカメラ等の他の撮像装置も含まれる。
【図面の簡単な説明】
【００８６】
【図１】本発明の実施例である撮像装置と交換レンズにより構成されるカメラシステムの構成を示すブロック図。
【図２】実施例の撮像装置の動作を示すフローチャート。
【図３】実施例の撮像装置の動作（図２の続き）を示すフローチャート。
【図４】実施例の撮像装置におけるライブビュー表示の再開処理を示すフローチャート。
【符号の説明】
【００８７】
１２  シャッタ
１４  撮像素子
２０  画像処理回路
２８  画像表示部
４２  ＡＦ制御回路
５０  システム制御回路
５２  メモリ
１００  カメラ
２２０  交換レンズ
２２２  撮像レンズ群
２２４  絞り
２２６  レンズ制御回路
２３０  フォーカス距離検出器
【図１】
2008304636.tif 000003
【図２】
2008304636.tif 000004
【図３】
2008304636.tif 000005
【図４】
2008304636.tif 000006